(57)【要約】【課題】扉を閉位置と開位置との間の所定の半開位置で節度をもって位置固定することができるスライドヒンジを提供する。【解決手段】内側アーム３には、第１受け凹部３１ａを形成する。外側アーム４には、第２受け凹部４１ａを形成する。第１受け凹部３１ａ及び第２受け凹部４１ａは、扉側取付部材２が閉位置から所定の半開位置に回動したとき、コイルばね５によって付勢された当接軸１０６が第１、第２受け凹部３１ａ，４１ａの各底面に同時に接触するように配置する。しかも、扉側取付部材２が半開位置から閉位置側へ微小角度でも回動したときには、当接軸１０６が第１受け凹部３１ａの底面に接触し続ける一方、第２受け凹部４１ａの底面から離間し、扉側取付部材２が半開位置から開位置側へ微小角度でも回動したときには、当接軸１０６が第１受け凹部３１ａの底面から離間する一方、第２受け凹部４１ａの底面に接触し続けるように構成する。【選択図】        図２
2004183401.tif 000002
【特許請求の範囲】
【請求項１】
躯体側取付部材と、この躯体側取付部材に第１、第２アームを介して閉位置と開位置との間を回動可能に連結された扉側取付部材とを備えたスライドヒンジにおいて、
上記第１アームと上記第２アームとの少なくとも一方と上記躯体側取付部材との間に、上記扉側取付部材が上記閉位置と上記開位置との間の所定の半開位置に回動したときに、上記扉側取付部材が上記躯体側取付部材に対して回動するのを節度をもって阻止する回動阻止機構を設けたことを特徴とするスライドヒンジ。
【請求項２】
上記回動阻止機構が、上記扉側取付部材が上記半開位置に位置しているときに、上記第１アームが上記扉側取付部材を一方向へ回動させ、上記第２アームが上記扉側取付部材を他方向へ回動させるように、上記第１、第２アームを同時に回動付勢する回動付勢手段を有しており、上記回動付勢手段の上記第１、第２アームに対する押圧接触箇所をそれぞれ第１、第２押圧箇所とすると、上記扉側取付部材が上記半開位置から一方向へ回動するときには、上記第１押圧箇所が上記回動付勢手段から離間する一方、上記第２押圧箇所が上記回動付勢手段に接触し続け、上記扉側取付部材が上記半開位置から他方向側へ回動するときには、上記第１押圧箇所が上記回動付勢手段に接触し続ける一方、上記第２押圧箇所が上記回動付勢手段から離間することを特徴とする請求項１に記載のスライドヒンジ。
【請求項３】
上記回動阻止機構が、上記第１アームに形成された係合凹部と、上記第１アームに対して接近、離間移動可能で、上記第１アームの上記躯体側取付部材に対する回動中心を中心とする回動が阻止された係合部材と、この係合部材を上記扉側取付部材に接近する方向へ付勢し、上記半開位置に回動したときに上記係合部材を上記係合凹部に嵌り込ませ、それによって上記扉側取付部材の上記半開位置からの回動を上記第１アームを介して阻止する付勢手段とを有していることを特徴とする請求項１に記載のスライドヒンジ。
【請求項４】
上記第１アームには、当該第１アームが閉位置から上記半開位置まで回動する間、上記係合部材に押圧接触することにより、上記係合部材を介して上記第１アームに作用する上記付勢手段の付勢力を、上記扉側取付部材が開位置側から閉位置側へ回動するように上記第１アームを回動付勢する回動付勢力に変換するカム部が形成されていることを特徴とする請求項３に記載のスライドヒンジ。
【発明の詳細な説明】
【０００１】
【発明の属する技術分野】
この発明は、パチンコ機、パチスロ機、その他の遊技機等に用いるのに好適なスライドヒンジに関する。
【０００２】
【従来の技術】
従来、パチンコ機やパチスロ機等の遊技機においては、扉を遊技機本体に回動可能に取り付けるためのヒンジとして、一軸ヒンジが用いられていた。しかし、最近では、一軸ヒンジに代えてスライドヒンジが多用されるようになってきた。スライドヒンジを用いた場合には、扉を閉位置から例えば９０°開回動させたときに扉が遊技機本体から側方へ突出する突出量を、一軸ヒンジに比して小さくすることができるからである。
【０００３】
遊技機に用いられるスライドヒンジは、遊技機本体に取り付けられる躯体側取付部材と、扉に取り付けられる扉側取付部材とを備えており、扉側取付部材は躯体側取付部材に第１、第２アームを介して回動可能に連結されている。これによって、扉がスライドヒンジを介して遊技機本体に回動可能に連結されている。なお、扉は、遊技機本体の前面開口部を覆った閉位置と、この閉位置から水平方向へほぼ９０°離れた開位置との間を回動可能になっている（例えば、特許文献１参照。）。
【０００４】
【特許文献１】
特開２００２−１８０７２８号公報（第７頁、第９図）
【０００５】
【発明が解決しようとする課題】
遊技機用の従来のスライドヒンジにおいては、扉を閉位置と開位置との間の半開位置、例えば６０°の半開位置で位置固定することができなかった。このため、例えば遊技機に発生したトラブルを解消する場合には、扉を開位置まで回動させていた。ところが、扉を開位置まで回動させると、扉の側方への突出量が小さいとはいえ、隣の遊技機で遊戯している顧客に対して扉が邪魔になるという問題があった。そこで、扉を半開位置に位置させた状態でトラブルの処理を行えばよいのであるが、半開位置では扉が自由に回動してしまうので、扉が処理作業の邪魔になるという問題があった。
【０００６】
【課題を解決するための手段】
この発明は、上記の問題を解決するためになされたもので、躯体側取付部材と、この躯体側取付部材に第１、第２アームを介して閉位置と開位置との間を回動可能に連結された扉側取付部材とを備えたスライドヒンジにおいて、上記第１アームと上記第２アームとの少なくとも一方と上記躯体側取付部材との間に、上記扉側取付部材が上記閉位置と上記開位置との間の所定の半開位置に回動したときに、上記扉側取付部材が上記躯体側取付部材に対して回動するのを節度をもって阻止する回動阻止機構を設けたことを特徴としている。
この場合、上記回動阻止機構が、上記扉側取付部材が上記半開位置に位置しているときに、上記第１アームが上記扉側取付部材を一方向へ回動させ、上記第２アームが上記扉側取付部材を他方向へ回動させるように、上記第１、第２アームを同時に回動付勢する回動付勢手段を有しており、上記回動付勢手段の上記第１、第２アームに対する押圧接触箇所をそれぞれ第１、第２押圧箇所とすると、上記扉側取付部材が上記半開位置から一方向へ回動するときには、上記第１押圧箇所が上記回動付勢手段から離間する一方、上記第２押圧箇所が上記回動付勢手段に接触し続け、上記扉側取付部材が上記半開位置から他方向側へ回動するときには、上記第１押圧箇所が上記回動付勢手段に接触し続ける一方、上記第２押圧箇所が上記回動付勢手段から離間することが望ましい。
上記回動阻止機構が、上記第１アームに形成された係合凹部と、上記第１アームに対して接近、離間移動可能で、上記第１アームの上記躯体側取付部材に対する回動中心を中心とする回動が阻止された係合部材と、この係合部材を上記扉側取付部材に接近する方向へ付勢し、上記半開位置に回動したときに上記係合部材を上記係合凹部に嵌り込ませ、それによって上記扉側取付部材の上記半開位置からの回動を上記第１アームを介して阻止する付勢手段とを有していることが望ましい。
上記第１アームには、当該第１アームが閉位置から上記半開位置まで回動する間、上記係合部材に押圧接触することにより、上記係合部材を介して上記第１アームに作用する上記付勢手段の付勢力を、上記扉側取付部材が開位置側から閉位置側へ回動するように上記第１アームを回動付勢する回動付勢力に変換するカム部が形成されていることが望ましい。
【０００７】
【発明の実施の形態】
以下、この発明の実施の形態について図１〜図９を参照して説明する。
図１〜図４は、この発明の第１実施の形態を示す。この実施の形態のスライドヒンジＡは、パチンコ機、パチスロ機等の遊技機に用いられるものであり、躯体側取付部材１、扉側取付部材２、内側アーム（第１アーム）３、外側アーム（第２アーム）４及びコイルばね（回動付勢手段）５を主な構成要素としている。
【０００８】
躯体側取付部材１は、金属板からなるものであり、互いに平行な一対の側板部１１，１１と、この側板部１１，１１の一側部間に設けられた天板部１２と、側板部１１，１１の他側部から外側へ向かってほぼ直角に突出する取付板部１３，１３とを有している。そして、躯体側取付部材１は、取付板部１３の挿通孔１３ａに挿通されたビスを躯体たる遊技機本体（いずれも図示せず）の左右いずれかの側板に螺合させて締め付けることにより、取付板部１３，１３が側板の内面に押圧固定され、ひいては躯体側取付部材１が遊技機本体の側板の内面に固定されている。この場合、躯体側取付部材１は、側板部１１が上下方向を向き、かつ側板部１１の長手方向の一端部（以下、先端部という。）が遊技機本体の開口した前面側に位置するようにして固定されている。
【０００９】
扉側取付部材２は、金属板からなるものであり、互いに平行な一対の側板部２１，２１と、この側板部２１，２１の一側部間に設けられた天板部２２と、側板部２１，２１の他側部の一端部から外側へ向かってほぼ直角に突出する取付板部２３とを有している。そして、扉側取付部材２は、取付板部２３の挿通孔２３ａに挿通されたビスを扉（いずれも図示せず）の背面に螺合させて締め付けることにより、取付板部２３，２３が扉の背面に押圧固定され、ひいては扉側取付部材２が扉の背面に固定されている。この場合、扉側取付部材２は、側板部２１が上下方向を向き、かつ天板部２２が取付板部２３に対して扉の前面側に位置するように配置されている。しかも、図１に示すように、扉側取付部材２は、扉を閉位置に回動させたときに躯体側取付部材１の先端部と対向するように配置されている。
【００１０】
内側アーム３は、金属板からなるものであり、互いに平行な一対の側板部３１，３１と、この側板部３１，３１の一側部間に設けられた連結板部３２とを有している。側板部３１，３１の外面間の寸法は、躯体側取付部材１の側板部１１，１１の内面間の寸法より小さくなっている。第１アーム３の一端部は、躯体側取付部材１の側板部１１，１１の先端部間に挿入されている。この場合、第１アーム３は、その側板部３１を側板部１１と平行にし、かつ連結板部３２を側板部３１より前方側に位置させた状態で側板部１１，１１間に挿入されている。側板部１１，１１間に挿入された側板部３１，３１の一端部は、軸線を側板部１１と直交させ、かつ側板部１１，３１，３１，１１を順次貫通した第１軸１０１を介して側板部１１，１１に水平方向へ回動可能に連結されている。
【００１１】
上記外側アーム４は、金属板からなるものであり、互いに平行な一対の側板部４１，４１と、この側板部４１，４１一側部間に設けられた連結板部４２とを有している。側板部４１，４１の外面間の寸法は、躯体側取付部材１の側板部１１，１１の内面間の寸法とほぼ同一に設定されており、側板部４１，４１の内面間の寸法は、内側アーム３の側板部３１，３１の外面間の寸法とほぼ同一に設定されている。外側アーム４の一端部は、躯体側取付部材１の側板部１１，１１の先端部間に、それも第１アーム３よりさらに先端側に挿入されている。この場合、外側アーム４は、側板部４１を側板部１１と平行にし、かつ連結板部４２を側板部４１より前方側に位置させた状態で側板部１１間に挿入されている。第１アーム４の側板部４１，４１間には、第１アーム３の側板部３１及び連結板部３２の各他端部が出没可能に入り込んでいる。側板部１１，１１間に挿入された側板部４１，４１の一端部は、第１軸１０１と平行で、側板部１１，４１，４１，１１を順次貫通した第２軸１０２を介して側板部１１，１１に水平方向へ回動可能に連結されている。勿論、第２軸１０２は、第１軸１０１より前方側に配置されている。
【００１２】
内側アーム３の側板部３１，３１は、扉側取付部材２の側板部２１，２１の他端部（取付板部２３側と逆側の端部）間に挿入されており、第１軸１０１と平行で、側板部２１，３１，３１，２１を順次貫通した第３軸１０３を介して側板部２１，２１に水平方向へ回動可能に連結されている。外側アーム４の側板部４１，４１は、扉側取付部材２の側板部２１，２１の他端部間にスペーサ１０５を介して挿入されており、第１軸１０１と平行で、側板部２１，４１，４１，２１を順次貫通した第４軸１０４を介して側板部２１，２１に水平方向へ回動可能に連結されている。この結果、扉側取付部材２が躯体側取付部材１に第１、第２アーム３，４を介して水平方向へ回動可能に連結されている。扉側取付部材２は、図１に示す閉位置と図３に示す開位置との間を回動可能である。扉側取付部材２の閉位置は、扉の背面が遊技機本体の前面に突き当たることによって規制されている。扉側取付部材２の開位置は、第３軸１０３が外側アーム４に突き当たることによって規制されており、この実施の形態では閉位置からほぼ９５°離れた位置に設定されている。
【００１３】
コイルばね５は、コイル部５１と、このコイル部５１の一端部からその接線方向に延びる第１付勢片部５２と、コイル部５１の他端部からその接線方向に延びる第２付勢片部５３とを有している。コイル部５１は、第１軸１０１の外周に外挿されている。この場合、コイル部５１の内径が第１軸１０１の外径より大幅に大径になっているので、コイル部５１は、第１軸１０１に対してその径方向へ移動可能である。第１付勢片部５２は、躯体側取付部材１の天板部１２に突き当たっている。一方、第２付勢片部５３は、当接軸１０６を介して内側アーム３の側板部３１，３１と外側アーム４の側板部４１，４１とのいずれか一方又は両方に突き当っている。当接軸１０６と側板部３１、４１との当接関係は、次に述べるように、扉側取付部材２の回動位置に応じて変化する。
【００１４】
すなわち、側板部３１，３１には、第１受け凹部３１ａ，３１ａが形成されている。この第１受け凹部３１ａは、断面略半円状をなしており、当接軸１０６の半径とほぼ同一の曲率半径を有している。第１受け凹部３１ａは、側板部３１の連結板部３２と逆側における側部で、第１軸と第３軸とを結ぶ方向においてそれらの間に位置する箇所に配置されている。扉側取付部材２が、閉位置と、この閉位置から開位置側へ所定の角度（この実施の形態では５５°）だけ離れた半開位置との間に位置しているときには、第１受け凹部３１ａ，３１ａに第１軸１０１と平行な当接軸１０６の一端部と他端部とが挿入されている。この当接軸１０６の長手方向の中央部には、コイルばね５の第２付勢片部５３が突き当たっている。コイルばね５の付勢力により、当接軸１０６の両端部が受け凹部３１ａ，３１ａの底面（第１押圧箇所）に押圧接触させられている。これにより、当接軸１０６が第１受け凹部３１ａ，３１ａからその開放部を通って抜け出ることが阻止されている。特にこの実施の形態では、第２付勢片部５３の先端部に半円状をなす湾曲部５３ａが形成されており、この湾曲部５３ａによって当接軸１０６の外周面のうちの第１受け凹部３１ａ側と逆側の側部が受け止められている。これにより、当接軸１０６の第１受け凹部３１ａからの脱出がより一層確実に阻止されている。当接軸１０６は、コイルばね５の第２付勢片部５３に一体に設けてもよい。その場合には、第１受け凹部３１ａ、湾曲部５３ａ及び後述する第２受け凹部４１ａは不要である。
【００１５】
当接軸１０６がコイルばね５の第２付勢片部５３によって側板部３１，３１に押圧接触させれることにより、内側アーム３がコイルばね５により第１軸１０１を中心として図１〜図３の時計方向（以下、開方向という。）へ回動付勢されている。扉側取付部材２が閉位置と半開位置との間に位置している場合において、内側アーム３がコイルばね５によって開方向へ回動させられると、扉側取付部材２が内側アーム３の回動に追随して閉位置側から開位置側へ開回動させられる。つまり、内側アーム３は、コイルばね５により、閉位置と半開位置との間に位置している扉側取付部材２を開方向へ回動させるような方向に回動付勢されているのである。なお、扉側取付部材２が閉位置と半開位置との間に位置しているときには、当接軸１０６が外側アーム４に接触することがない。したがって、コイルばね５が外側アーム４を回動付勢することもない。
【００１６】
外側アーム４の側板部４１，４１には、第２受け凹部４１ａ，４１ａが形成されている。この第２受け凹部４１ａは、断面半円状をなしており、当接軸１０６の半径とほぼ同一の曲率半径を有している。第２受け凹部４１ａは、側板部４１の連結板部４２と逆側における側部で、第２軸１０２を間にして第４軸１０４と逆側に位置する箇所に配置されている。しかも、第２受け凹部４１ａ，４１ａは、扉側取付部材２が閉位置から半開位置に回動すると、当接軸１０６の両端部が第２受け凹部４１ａ，４１ａにその開放部から入り込んで、第２受け凹部４１ａ，４１ａの各底面（第２押圧箇所）に押圧接触するように配置されている。当接軸１０６が第２受け凹部４１ａの底面に押圧接触した状態では、第２受け凹部４１ａの開放部が第２付勢片部５３の湾曲部５３ａと対向するようになっている。この結果、当接軸１０６の外周の一側部が第２受け凹部４１ａに押圧接触するとともに、他側部が湾曲部５３ａに押圧接触する。これにより、当接軸１０６が第２受け凹部４１ａからその開放部を通って外部に抜け出ることが阻止されている。
【００１７】
扉側取付部材２が半開位置と閉位置との間に位置しているときには、当接軸１０６が第２付勢片部５３によって第２受け凹部４１ａの底面に押圧接触させられている。この結果、外側アーム４がコイルばね５の付勢力により第２軸１０２を中心として回動付勢されている。この場合、外側アーム４は、図１〜図３の反時計方向へ回動付勢される。外側アーム４が反時計方向へ回動させられると、それに伴って扉側取付部材２が開位置から閉位置側へ向かって閉回動させられる。換言すれば、外側アーム４は、コイルばね５により扉側取付部材２を閉方向へ回動させるような方向に回動付勢されているのである。ただし、扉側取付部材２がコイルばね５により外側アーム４を介して閉方向へ回動付勢されるのは、半開位置と、扉側取付部材２が半開位置から所定の角度だけ開位置側へ回動して第３軸１０３が第１軸１０１と第４軸１０４とを結ぶ線上に位置するようになる中立位置との間の角度範囲だけであり、この実施の形態では当該角度範囲が５°に設定されている。つまり、扉側取付部材２は、閉位置から５５°〜６０°だけ離れた角度範囲においては、コイルばね５により外側アーム４を介して閉方向へ回動付勢されているのである。したがって、扉側取付部材２を半開位置から中立位置まで回動させるときには、扉側取付部材２をコイルばね５の付勢力に抗して回動させることになる。扉側取付部材２が閉位置側から開位置側へ向かって中立位置を越えると、コイルばね５は、外側アーム４を反時計方向へ回動付勢し続けるが、外側アーム４は扉側取付部材２を開位置側へ回動させる。つまり、扉側取付部材２は、中立位置と開位置との間に位置しているときには、コイルばね５により外側アーム４を介して開位置側へ回動付勢される。そして、扉側取付部材２が開位置まで回動させられると、図３に示すように、第３軸１０３が外側アーム４に突き当たる。その結果、扉側取付部材２がコイルばね５の付勢力によって閉位置に維持される。
なお、扉側取付部材２が半開位置と開位置との間に位置しているときには、当接軸１０６が内側アーム３に押圧接触することがなく、コイルばね５が内側アーム３を回動付勢することはない。
【００１８】
上記構成のスライドヒンジＡにおいて、いま扉側取付部材２が図１に示す閉位置に位置しているものとする。そして、扉側取付部材１を自由に回動し得る状態にすると、コイルばね５により当接軸１０６を介して回動付勢された内側アーム３が開方向（図１〜図３において、時計方向）へ回動する。これに追随して外側アーム４が第２軸１０２を中心として開方向（図１〜図３において、時計方向）へ回動するとともに、扉側取付部材２が閉位置から開位置側へ向かって開回動する。
【００１９】
扉側取付部材２が半開位置に回動すると、第１受け凹部３１ａ，３１ａの底面（第１押圧部）に突き当たっていた当接軸１０６の両端部が、第２受け凹部４１ａ，４１ａの底面（第２押圧部）にも突き当たる。つまり、当接軸１０６の両端部が、第１受け凹部３１ａ，３１ａの両底面と第２受け凹部４１ａ，４１ａの両底面とに同時に突き当たる。これにより、扉側取付部材２が半開位置において停止される。
【００２０】
すなわち、当接軸１０６が第１、第２受け凹部３１ａ，４１ａの底面に同時に突き当たった状態において、扉側取付部材２が閉位置側へ向かって微小角度でも閉回動すると、内側アーム３及び外側アーム４が反時計方向（閉方向；他方向）へ回動する。内側アーム３が閉方向へ回動すると、第１受け凹部３１ａの底面が当接軸１０６をコイルばね５の付勢力に抗して押すことになる。換言すれば、内側アーム３がコイルばね５により開方向へ回動付勢される。一方、外側アーム４が閉方向へ回動すると、第２受け凹部４１ａの底面が第１受け凹部３１ａの底面と逆方向へ移動し、当接軸１０６から離間する。この結果、外側アーム４にはコイルばね５の回動付勢力が作用しなくなる。したがって、内側アーム３がコイルばね５によって開方向へ回動されることになり、それに追随して扉側取付部材２が半開位置まで戻される。勿論、扉側取付部材２が半開位置まで戻されると、外側アーム４の第２受け凹部４１ａの底面が当接軸１０６に突き当たるまで外側アーム４が時計方向回動させられる。逆に、扉側取付部材２が半開位置から開位置側へ微小角度でも開回動すると、内側アーム３及び外側アーム４が時計方向（開方向；一方向）ヘ回動する。外側アーム４が開方向へ回動すると、第２受け凹部４１ａの底面が当接軸１０６をコイルばね５の付勢力に抗して押す。換言すれば、外側アーム４がコイルばね５により閉方向へ回動付勢される。一方、内側アーム３が開方向へ回動すると、第１受け凹部３１ａの底面が第２受け凹部４１ａの底面と逆方向へ移動するので、当接軸１０６から離間する。この結果、内側アーム３にはコイルばね５の回動付勢力が作用しなくなる。したがって、外側アーム４がコイルばね５によって閉方向へ回動されることになり、それに追随して扉側取付部材２が半開位置まで閉回動させられる。つまり、半開位置に戻される。勿論、内側アーム３の第１受け凹部３１ａの底面が当接軸１０６に突き当たるまで内側アーム３も閉回動させられる。このように、扉側取付部材２が半開位置に位置した状態においては、扉側取付部材２が開閉いずれの方向へ微小角度回動した場合であって、扉側取付部材２はコイルばね５の付勢力によって直ちに半開位置に戻される。したがって、扉側取付部材２は、コイルばね５の付勢力により節度をもって、つまりコイルばね５の付勢力に対応した所定の大きさの力をもって半開位置に位置固定される。なお、上記の内容から明かなように、この実施の形態のスライドヒンジＡにおいては、コイルばね５、当接軸１０６、第１受け凹部３１ａ及び第２受け凹部４１ａにより、扉側取付部材２を半開位置に停止させる回動阻止機構６が構成されている。
【００２１】
扉側取付部材２が半開位置と中立位置との間に位置しているときには、扉側取付部材２がコイルばね５により閉位置側へ向かって回動付勢されている。したがって、扉側取付部材２を半開位置と中立位置との間において開回動させる際には、コイルばね５の回動付勢力に抗して扉側取付部材２を回動させることになる。なお、コイルばね５の扉側取付部材２に対する閉方向への回動付勢力は、半開位置側から中立位置側へ向かうにしたがって漸次小さくなり、中立位置では零になる。
【００２２】
扉側取付部材２が中立位置を越えて開位置側に位置すると、扉側取付部材２は、コイルばね５により外側アーム４を介して開位置側へ回動付勢される。したがって扉側取付部材２は、コイルばね５の付勢力によって開位置まで回動させられるとともに、開位置に維持される。
【００２３】
逆に、開位置に位置している扉側取付部材２を閉位置まで回動させる場合において、開位置から中立位置までの間は、扉側取付部材２をコイルばね５の付勢力に抗して閉回動させる。扉側取付部材２は、中立位置を越えると、コイルばね５により半開位置まで閉回動させられる。半開位置から閉位置までは、扉側取付部材２をコイルばね５の付勢力に抗して閉回動させる。
【００２４】
なお、上記の実施の形態においては、扉側取付部材２が閉位置と半開位置との間に位置しているとき、扉側取付部材２がコイルばね５により内側アーム３を介して開方向へ回動付勢され、扉側取付部材２が半開位置と開位置との間に位置しているときには、扉側取付部材２がコイルばね５により外側アーム４を介して回動付勢されているが、扉側取付部材２が閉位置と半開位置との間に位置しているときには、扉側取付部材２を外側アーム４を介して回動付勢し、扉側取付部材２が半開位置と開位置との間に位置しているときには、扉側取付部材２を内側アーム３を介して回動付勢するようにしてもよい。また、コイルばね５による内側アーム３及び外側アーム４に対する回動付勢方向は、上記の実施の形態と逆方向にしてもよい。
【００２５】
次に、この発明の他の実施の形態ついて説明する。なお、以下の実施の形態については、上記実施の形態と異なる構成についてのみ説明し、同様な部分には同一符号を付してその説明を省略する。
【００２６】
図５〜図８は、この発明の第２実施の形態を示す。この実施の形態のスライドヒンジＢにおいては、回動阻止機構６に代えて回動阻止機構６′が用いられている。回動阻止機構６′は、コイルばね（付勢手段）７、係合軸（係合部材）１０７及び第１係合凹部（係合凹部）８２とによって構成されている。
【００２７】
コイルばね７は、コイル部７１と、このコイル部７１の一端部からその接線方向に延びる第１付勢片部７２と、コイル部７１の他端部からその接線方向に延びる第２付勢片部７３とを有している。コイル部７１は、躯体側取付部材１の側板部１１の内面に設けられた突起１１ａに外挿され、それによってほぼ位置固定されている。第１付勢片部７２は、躯体側取付部材１の天板部１２の内面に押圧接触している。第２付勢片部７３は、係合軸１０７を内側アーム３の側板部３１の第１軸１０１側の端部に向かって付勢している。
【００２８】
係合軸１０７は、第１軸１０１と平行に配置されており、その両端部が躯体側取付部材１の側板部１１，１１に設けられた長孔１１ｂ，１１ｂにその長手方向へ移動可能に挿入されている。長孔１１ｂは、躯体側取付部材１の後端部側から前端部側へ向かうにしたがって内側アーム３の側板部３１の第１軸１０１側の端部に接近するように傾斜させられている。したがって、係合軸１０７は、内側アーム３に対して接近、離間移動可能であるが、第１軸１０１を中心とする回動は阻止されている。
【００２９】
内側アーム３の第１軸１０１側の端部で側板部３１，３１間には、内側アーム３の一部をなすカム部材８が挿入されている。このカム部材８は、第１軸１０１を中心として内側アーム３と一体に回転するように、内側アーム３に固定状態で連結されている。このカム部材８の係合軸１０７側を向く側面には、カム面８１が形成されている。このカム面８１は、扉側取付部材２が閉位置から半開位置側へ向かって所定の角度（例えば、３０°）だけ離れた接触位置に回動し、それに伴って内側リンク３が図５において時計方向へ所定角度だけ開回動すると、カム面８１の始端部が係合軸１０７に接触し始めるように配置されている。しかも、カム面８１は、扉側取付部材２が接触位置からさらに開回動すると、係合軸１０７をコイルばね７の付勢力に抗して内側リンク３から離間するように移動させる。したがって、カム面８１が係合軸１０７に接触している状態では、扉側取付部材２がコイルばね７により内側アーム３を介して閉位置側へ回動付勢されている。
【００３０】
カム面８１の終端に続く側板部３１の側面には、第１係合凹部（係合凹部）８２と第２係合凹部８３とが隣接して順次形成されている。第１係合凹部８２は、断面略半円状をなしており、係合軸１０７の半径とほぼ同一の曲率半径を有している。しかも、第１係合凹部８２は、扉側取付部材２が閉位置から半開位置まで回動すると、コイルばね７によって付勢された係合軸１０７の両端部が嵌り込み、係合軸１０７の外周面が第１係合凹部８２の底面に押圧接触するように配置されている。
【００３１】
第２係合凹部８３は、断面略半円状をなしており、係合軸１０７の半径とほぼ同一の曲率半径を有している。しかも、第２係合凹部８３は、扉側取付部材２が半開位置から開位置まで回動し、それに伴って内側リンク３が開回動すると、第１、第２係合凹部８２，８３間に形成された境界部８４をコイルばね７の付勢力に抗して乗り越えた係合軸１０７が嵌り込み、その外周面が第２係合凹部８３の底面に押圧接触するように配置されている。
【００３２】
上記構成のスライドヒンジＢにおいて、扉側取付部材２を閉位置から開位置へ向かって回動させたものとする。回動当初は、カム面８１が係合軸１０７に接触していないので、扉側取付部材２はほとんど抵抗なく回動させることができる。なおこのとき、係合軸１０７は、長孔１１ｂの内側アーム３側の端部に突き当たっている。扉側取付部材２が接触位置に達すると、カム面８１が係合軸１０７に接触し始め、係合軸１０７をコイルばね７の付勢力に抗して躯体側取付部材１の後端側へ移動させる。したがって、その後は扉側取付部材２をコイルばね７の付勢力に抗して回動させることになる。扉側取付部材２が半開位置に達すると、係合軸１０７がコイルばね７の付勢力によって第１係合凹部８２に嵌り込む。このとき、第１係合凹部８１の曲率半径が係合軸１０７の半径とほぼ同一であり、係合軸１０７がコイルばね７の付勢力によって第１係合凹部８２の底面に押圧接触させられているから、係合軸１０７が第１係合凹部３１ｂに嵌り込んだ状態では、扉側取付部材２が節度をもって、つまりコイルばね７の付勢力、第１係合凹部８２の深さ等に応じた所定の大きさの力をもって半開位置に位置固定される。
【００３３】
扉側取付部材２を半開位置から所定の大きさを越える力で開回動させると、係合軸１０７がコイルばね７の付勢力に抗して境界部８４を乗り越える。そして、扉側取付部材２が閉位置に達すると、係合軸１０７が第２係合凹部８３に嵌り込む。この状態では、係合軸１０７が第１係合凹部８２に嵌り込んだ場合と同様に、扉側取付部材２が節度をもって位置固定される。つまり、扉側取付部材２が節度をもって閉位置に位置固定される。なお、扉側取付部材２の開位置が係合軸１０７の第２係合凹部８３の嵌り込みによって規制されているので、このスライドヒンジＢにおいては、図７からも明らかなように、扉側取付部材２が開位置に達したとき、第３軸１０３が外側アーム４に突き当たることがない。
【００３４】
図９は、この発明の第３実施の形態を示す。この実施の形態のスライドヒンジＣにおいては、上記カム面８１に代えてカム面（カム部）８５が用いられている。カム面８５は、扉側取付部材２が閉位置に位置しているときから係合軸１０７が第１係合凹部８２に嵌り込むまで係合軸１０７に接触している。したがって、扉側取付部材２は、閉位置に位置しているときにもコイルばね７によって開位置側から閉位置側へ向かう方向へ付勢され、その付勢力によって閉位置に維持されている。その他の構成は、上記スライドヒンジＢと同様である。
【００３５】
なお、スライドヒンジＢ（Ｃ）においては、カム面８１（８５）、第１、第２係合凹部８２，８３を内側アーム３にその一部として固定されたカム部材８に形成しているが、内側アーム３に直接形成してもよい。あるいは、外側アーム４にカム部材８を設けたり、カム面８１（８５）、第１、第２係合凹部８２，８３を外側アーム４に直接形成してもよい。また、係合軸１０７をコイルばね７の第２付勢片部７３に一体に設けてもよい。
【００３６】
【発明の効果】
以上説明したように、この発明によれば、扉側取付部材を閉位置と開位置との間の所定の半開位置において節度をもって位置固定することができる。したがって、この発明に係るスライドヒンジを遊技機に用いた場合には、遊技機に発生したトラブルを解消するための処理作業中に、扉を半開位置に位置固定させておくことができ、扉が処理作業の邪魔になるのを防止することができるのみならず、扉が隣の遊技機で遊戯中の顧客の邪魔になることがない。勿論、扉を開位置に回動させることも可能であるので、扉を開位置に回動させなければ処理できないような大きなトラブルにも対処することができる。
【図面の簡単な説明】
【図１】この発明の第１実施の形態を、躯体側取付部材を閉位置に位置させた状態で示す縦断面図である。
【図２】同実施の形態を、躯体側取付部材を半開位置に位置させた状態で示す縦断面図である。
【図３】同実施の形態を、躯体側取付部材を開位置に位置させた状態で示す縦断面図である。
【図４】同実施の形態を示す分解斜視図である。
【図５】この発明の第２実施の形態を、躯体側取付部材を閉位置に位置させた状態で示す縦断面図である。
【図６】同実施の形態を、躯体側取付部材を半開位置に位置させた状態で示す縦断面図である。
【図７】同実施の形態を、躯体側取付部材を開位置に位置させた状態で示す縦断面図である。
【図８】同実施の形態を示す分解斜視図である。
【図９】この発明の第３実施の形態を、躯体側取付部材を閉位置に位置させた状態で示す縦断面図である。
【符号の説明】
Ａ  スライドヒンジ
Ｂ  スライドヒンジ
Ｃ  スライドヒンジ
１  躯体側取付部材
２  扉側取付部材
３  内側アーム（第１アーム）
４  外側アーム（第２アーム）
５  コイルばね（回動付勢手段）
６  回動阻止機構
６′  回動阻止機構
７  コイルばね（付勢手段）
８２  第１係合凹部（係合凹部）
８５  カム面（カム部）
１０１  第１軸
１０２  第２軸
１０３  第３軸
１０４  第４軸
１０７  係合軸（係合部材）
【図１】
2004183401.tif 000003
【図２】
2004183401.tif 000004
【図３】
2004183401.tif 000005
【図４】
2004183401.tif 000006
【図５】
2004183401.tif 000007
【図６】
2004183401.tif 000008
【図７】
2004183401.tif 000009
【図８】
2004183401.tif 000010
【図９】
2004183401.tif 000011